(57)【要約】【課題】  目的のネイルデザインのジェルネイルを容易に施術することが可能なネイルデザインキットを提供する。【解決手段】  ネイルデザインキット１は、少なくとも一つのネイルデザインに必要なネイル材料が収容された本体部２を有する。本体部２は、光硬化性ネイル剤を含むネイル材料が封入された容器部３とパレット部４とを備える。容器部３は、凹状に窪んで設けられるとともに密閉する蓋材５を備え、ネイル材料を見せる透明領域または半透明領域が設けられている。封入されている前記ネイル材料は、１本ないし１０本の指の爪に適用される分量とされている。【選択図】  図１
2020010957.tif 000002
【特許請求の範囲】
【請求項１】
少なくとも一つのネイルデザインに必要なネイル材料が本体部に収容されているネイルデザインキットであって、
前記本体部は、光硬化性ネイル剤を含むネイル材料が封入された容器部と、前記ネイル材料のためのパレット部とを有し、
前記容器部には前記ネイル材料を見せる透明領域または半透明領域が設けられ、
封入されている前記ネイル材料は、１本ないし１０本の指の爪に適用される分量とされたことを特徴とするネイルデザインキット。
【請求項２】
請求項１に記載のネイルデザインキットにおいて、
前記本体部は、前記容器部と前記パレット部とを一体に備えたことを特徴とするネイルデザインキット。
【請求項３】
請求項１または２に記載のネイルデザインキットにおいて、
前記容器部は、凹状に窪んで設けられるとともに密閉する蓋材を備えていることを特徴とするネイルデザインキット。
【請求項４】
請求項１〜３のいずれか一つの請求項に記載のネイルデザインキットにおいて、
前記本体部には複数の前記容器部が備えられていることを特徴とするネイルデザインキット。
【請求項５】
請求項４に記載のネイルデザインキットにおいて、
複数の前記容器部は互いに重層されるとともに各容器部に異なるネイル材料が収容されていることを特徴とするネイルデザインキット。
【請求項６】
請求項１〜５のいずれか一つの請求項に記載のネイルデザインキットにおいて、
前記容器部は、指の爪を模した形または略楕円形の外形状を有することを特徴とするネイルデザインキット。
【請求項７】
請求項１〜６のいずれか一つの請求項に記載のネイルデザインキットにおいて、
前記透明領域または半透明領域には紫外線の透過を防ぐ紫外線防止手段が付与されていることを特徴とするネイルデザインキット。
【請求項８】
請求項１〜７のいずれか一つの請求項に記載のネイルデザインキットにおいて、
前記本体部には前記光硬化性ネイル剤を塗布するためのネイル筆が備えられていることを特徴とするネイルデザインキット。
【請求項９】
請求項１〜８のいずれか一つの請求項に記載のネイルデザインキットにおいて、
複数の前記本体部が互いに連設されてなることを特徴とするネイルデザインキット。
【発明の詳細な説明】
【技術分野】
【０００１】
本発明は、ネイル施術に用いられるネイルデザインキットに関する。
【背景技術】
【０００２】
手や足の爪を装飾する手法として、マニキュアのほか、光硬化性ネイル剤を用いたジェルネイルも知られている。ジェルネイルは、ジェル状のネイル剤を爪に塗り、光照射することによって硬化させ爪に一体化させるもので、マニキュア等のラッカーエナメルに比べ、表面が硬くて傷もつきにくい。そのため、ジェルネイルは塗布した状態を長期間保つことが可能であり、マニキュアのように頻繁に塗り直す必要性がなく、デザイン性の高い美しい爪が得られることから、女性に広く好まれている。
【０００３】
例えば特許文献１に開示されるように、ジェルネイルに用いられるネイル剤は、色ごとに蓋付きケースに収容されて販売され、使用されている。ところが、一回のネイル施術（通常は１０本の指の爪に対する施術）に必要なネイル剤はごく少量である。また、施術時にネイル剤を単色だけ使用することはまれであり、複数の色のネイル剤を混ぜて好みの色のネイル剤を作成したり、一つの爪に何色もの色のネイル剤を用いたりして、デザイン性の高いジェルネイルとすることが好まれている。そのため、一回のネイル施術には、蓋付きケースに収容された複数のネイル剤が必要になるとともに、異なるデザインのジェルネイルを施術するには、さらに多くのネイル剤を取り揃えなければならないという実情があった。
【０００４】
このようなジェルネイルは、ネイルサロン等の専門店でプロのネイリストに施術してもらうことが一般的ではあるが、ネイリストでなくとも、施術用具を買い揃えて自分の爪にジェルネイルを施すこと（セルフネイル）への要望も増加している。
【先行技術文献】
【特許文献】
【０００５】
【特許文献１】特開２０１１−２３５０４０号公報（図６）
【発明の概要】
【発明が解決しようとする課題】
【０００６】
ジェルネイルの施術には、ネイルサロン等の専門店であっても、セルフネイルであっても、多種類のネイル剤が必要となることは共通している。そのため、既に手持ちのネイル剤を使い切ることができないまま、新たに別のネイル剤を買い揃えなければならなかったり、また、多種類のネイル剤を揃えたとしても、どの色をどのように使用すればよいか分からなかったりするという問題点があった。様々な色のネイル剤に加え、ジェルネイルの表面に宝石様のストーンやビジューと呼ばれる装飾パーツを施すことも好まれており、多様な種類が存在する装飾パーツまでも含めてすべて用意し、それらを使いこなすには、技術だけでなく経験や美的感覚も必要となって、プロのネイリストであっても困難なものであった。
【０００７】
本発明は、上記のような実情にかんがみてなされたものであり、その目的とするところは、目的のネイルデザインの施術に必要となるネイル材料を一つのセットとして提供することで、専門店であってもセルフネイルであっても、ジェルネイルを容易に施術することが可能となるネイルデザインキットを提供することにある。
【課題を解決するための手段】
【０００８】
前記の目的を達成するため、本発明は、少なくとも一つのネイルデザインに必要なネイル材料が本体部に収容されているネイルデザインキットであって、前記本体部は、光硬化性ネイル剤を含むネイル材料が封入された容器部と、前記ネイル材料のためのパレット部とを有し、前記容器部には前記ネイル材料を見せる透明領域または半透明領域が設けられ、封入されている前記ネイル材料は、１本ないし１０本の指の爪に適用される分量とされたことを特徴としている。
【０００９】
この特定事項により、多種類のネイル材料を個別に揃えずとも、目的のネイルデザインのジェルネイルを施すことが可能となる。また、目的のネイルデザインのために、どのようなネイル材料をどのように使用すればよいかを検討する必要性がなくなり、専門的な知識、経験、あるいは美的感覚などを特に要することなく、効率よくネイル施術することが可能となる。
【００１０】
前記構成のネイルデザインキットにおいて、前記本体部は、前記容器部と前記パレット部とを一体に備えることが好ましい。これにより、前記容器部および前記パレット部をコンパクトに形成することができ、施術容易性が高まるとともに、取り扱い性や携帯性をも向上させることができる。
【００１１】
また、前記構成のネイルデザインキットにおいて、前記容器部は、凹状に窪んで設けられるとともに密閉する蓋材を備えていることが好ましい。これにより、前記容器部内のネイル材料を使い易くすることができる。
【００１２】
また、前記構成のネイルデザインキットにおいて、前記本体部には複数の前記容器部が備えられてもよい。これにより、複数種類のネイル材料を一つの本体部に備えさせることができる。
【００１３】
また、前記構成のネイルデザインキットにおいて、複数の前記容器部は互いに重層されるとともに各容器部に異なるネイル材料が収容された構成であってもよい。これにより、複数種類のネイル材料を一つの本体部にコンパクトに備えさせることができる。
【００１４】
また、前記構成のネイルデザインキットにおいて、前記容器部は、指の爪を模した形または略楕円形の外形状を有することが好ましい。これにより、使用者はネイルデザインをより一層イメージしやすくなり、施術容易性が高められる。
【００１５】
また、前記構成のネイルデザインキットにおいて、前記透明領域または半透明領域には紫外線の透過を防ぐ紫外線防止手段が付与されていることが好ましい。これにより、収容されているネイル材料を紫外線から保護することができる。
【００１６】
また、前記構成のネイルデザインキットにおいて、前記本体部には前記光硬化性ネイル剤を塗布するためのネイル筆が備えられていることが好ましい。これにより、より一層使い易さを向上させることができる。
【００１７】
また、前記構成のネイルデザインキットにおいて、複数の前記本体部が互いに連設されていてもよい。これにより、多様なネイルデザインに対応したものとすることが可能となる。
【発明の効果】
【００１８】
本発明により、ネイル施術に必要となるネイル材料をネイルデザインに応じた一つのセットとして提供することができ、目的のネイルデザインのジェルネイルを容易に施術することが可能となる。
【図面の簡単な説明】
【００１９】
【図１】図１（ａ）は本発明の実施形態１に係るネイルデザインキットの上面図であり、図１（ｂ）はその底面図である。
【図２】前記ネイルデザインキットを示す斜視図である。
【図３】図１（ａ）に示すネイルデザインキットにおけるＡ−Ａ断面図である。
【図４】前記ネイルデザインキットの使用時を示す断面図である。
【図５】実施形態１に係るネイルデザインキットの変形例を示す上面図である。
【図６】実施形態２に係るネイルデザインキットを示す底面図である。
【図７】図６に示すネイルデザインキットにおけるＢ−Ｂ断面図である。
【図８】実施形態３に係るネイルデザインキットを示す上面図である。
【図９】実施形態３に係るネイルデザインキットの他の例を示す上面図である。
【図１０】実施形態４に係るネイルデザインキットを示す斜視図である。
【図１１】図１０のネイルデザインキットを示す分解断面図である。
【図１２】実施形態５に係るネイルデザインキットを示す斜視図である。
【図１３】実施形態６に係るネイルデザインキットを示す上面図である。
【図１４】図１３のネイルデザインキットを示す側面図である。
【図１５】図１４のネイルデザインキットを示す断面図である。
【発明を実施するための形態】
【００２０】
以下、本発明の実施の形態に係るネイルデザインキットについて、図面を参照しつつ説明する。
【００２１】
光硬化性樹脂を含むネイル剤（光硬化性ネイル剤）を用いたジェルネイルは、平面的なデザイン、立体的なデザイン、金属様の光沢のあるデザインなど、多様なネイルデザインで施術することが可能であり、そのデザイン性の豊かさから特に人気がある。ネイルデザインは、例えば、爪の根元から先端にかけて徐々に色の濃さを変化させたグラデーションネイルや、先端部または根元に異なる色をのせるフレンチネイルなどの比較的シンプルなものから、異なる色の境界部にラインやラメを設けたり、模様を描いたり、またストーンやスタッズと呼ばれる宝石様の装飾パーツを多数配置したりする華やかなものもある。
【００２２】
本発明に係るネイルデザインキットは、目的のネイルデザインに対応させて構成されており、そのネイルデザインに必要となるネイル材料があらかじめ本体部に具備されている。なお、本発明に係るネイルデザインキットにおいて、具備させるネイル材料には、多様な色または質感を有する光硬化性ネイル剤のほか、ラメやグリッター等の粉状体、および宝石様のストーン、ビジュー、スタッズ等と呼ばれる装飾パーツ、その他ジェルネイルに適用可能なネイル材料全般を含むものとする。
【００２３】
（実施形態１）
図１（ａ）は、実施形態１に係るネイルデザインキット１の上面図であり、図１（ｂ）はネイルデザインキット１の底面図である。図２は、ネイルデザインキット１を示す斜視図であり、図３および図４は、ネイルデザインキット１の断面図である。
【００２４】
この形態に示すネイルデザインキット１は、図１（ａ）に示すように、一つの本体部２を備えている。本体部２は、薄板状のプラスチック成形品であり、容器部３とパレット部４とを有している。図示するように、本体部２は、一つの容器部３と一つのパレット部４とを一体に備えている。
【００２５】
図３に示すように、容器部３は、凹状に窪ませて形成されている。またパレット部４は、容器部３と同じ方向に凹状に窪ませて形成されている。容器部３には、一つのネイルデザインに必要なネイル材料が収容される。
【００２６】
容器部３の凹状の窪みは、指の爪を模した形状（爪形状）に形成されている。本体部２の底面側から容器部３を見ると、凸状の曲面形状であって、爪のような立体形状を有している。また、容器部３は、その全体が、透明のプラスチック材料で形成されて透明領域とされており、図１（ｂ）に示すように、内部に納められたネイル材料を視認できるように構成されている。
【００２７】
これにより、本体部２を底面側から見たとき、容器部３は一つの爪のように見えている。容器部３だけでなく、パレット部４まで含めた本体部２の全体が、透明領域とされていてもよい。また、容器部３のネイル材料を視認し得てネイルデザインを見せることができるものであれば、透明領域にかえて半透明領域とされてもよく、透明領域と半透明領域とが混在されてもよい。
【００２８】
パレット部４の形状は特に限定されないが、例示の形態では略矩形状の窪みとして形成されている。この場合、パレット部４には、一方の辺縁部に向かって徐々に浅くなるように勾配が設けられている。パレット部４は、容器部３に納められた光硬化性ネイル剤をネイル筆６で取り出して筆先になじませたり、光硬化性ネイル剤の塗布量を調整したりする部位であり、ネイル材料のためのパレットとして用いることができる。
【００２９】
容器部３には、窪みを覆う蓋材５が備えられている。例示の形態では、図２に示すように、容器部３とパレット部４とをともに覆うことが可能な大きさの蓋材５が備えられている。蓋材５は、シート状部材であって、ポリプロピレンとアルミ箔との積層物や、容器部３と共通の材料にて形成されることが好ましい。
【００３０】
蓋材５は本体部２の上面に対して剥離可能に接合されている。本体部２と蓋材５との接合方法には、熱溶着、超音波溶着、高周波溶着などの適宜のプラスチックの溶着方法を用いることができる。蓋材５の材質によっては、接着剤や溶剤等を用いた接着方法によって本体部２に剥離可能に貼着されていてもよい。容器部３だけでなくパレット部４までも蓋材５で一体に覆っていることで、施術開始までの間、パレット部４を清潔に保つことができる。
【００３１】
図３に示すように、容器部３にはネイル材料が収容されて、蓋材５で気密に封止されている。そして、図４に示すように、蓋材５を本体部２から剥離し、容器部３とパレット部４とを露出させて、ネイル材料を容器部３から取り出すことができる。
【００３２】
容器部３に封入されているネイル材料は、１本ないし１０本の指の爪に適用される分量とされている。一つのネイルデザインキット１の容器部３に封入するネイル材料は、１０本の指の爪に適用される分量とするだけでなく、例えば５本の指の爪に適用される分量としてもよい。これにより、１０本の指の爪すべてが同じネイルデザインであるだけでなく、１０本のうち５本の指には異なるネイルデザインとすることも可能となる。ジェルネイルを１０本の手指の爪に施術する場合、必要な光硬化性ネイル剤は、約０．２ｇ〜０．６ｇとされている。
【００３３】
図５は、実施形態１に係るネイルデザインキット１の変形例を示す上面図である。このネイルデザインキット１は、五つの本体部２が横並びに互いに連設されて構成されている。一つの本体部２の構成は前記形態と同様であるが、五つの容器部３には異なるネイルデザインに対応したネイル材料が封入されている。本体部２同士の間には、薄肉状またはミシン目状の切り離し部２０が形成されており、使用時に各本体部２を分離させることができる。
【００３４】
複数の本体部２を連設して一つのネイルデザインキット１を形成することにより、複数種類のネイルデザインを１０本の指の爪に施術することを可能にする。使用者は、本体部２の底面側を見て、複数並んだ容器部３に示されているネイルデザインを確認することができ、爪に施術した状態を容易にイメージすることが可能となる。
【００３５】
実施形態１に係るネイルデザインキット１において、本体部２に用いられるプラスチック材料は特に限定されず、ポリエチレン、ポリプロピレン、ポリ塩化ビニル（ＰＶＣ）、ポリアミド、ポリアルキレン、脂環式ポリオレフィン、ポリエチレンテレフタレート、ポリブチレンテレフタレート、ポリカーボネート、熱可塑性エラストマー等が挙げられる。また、本体部２の容器部３には、光硬化性ネイル剤が封入されることを考慮して、少なくとも容器部３における透明領域または半透明領域には紫外線の透過を防ぐ紫外線防止手段が付与されていることが好ましい。
【００３６】
紫外線防止手段として、例えば、容器部３の外面にシート状の紫外線吸収材を配設したり、構成するプラスチック材料に紫外線吸収材を配合させたりする方法が挙げられる。容器部３の外面に、紫外線吸収材が塗布または印刷等により配設されてもよい。紫外線吸収材としては、例えばベンゾトリアゾール系、ポリエチレンナフタレート（ＰＥＮ）、超微粒子セラミックス系紫外線吸収材を適用することができるがこれらに限られるものではない。
【００３７】
また、容器部３は、指の爪を模した形（爪形状）であるに限らず、例えば略楕円形や略円形の外形状を有して形成されてもよい。また、ネイルデザインに応じて、容器部３の全体が透明領域とされるに限らず、例えば容器部３の略半部を透明領域とし、残りの半部を半透明領域として、本体部２を底面側から見たときに光硬化性ネイル剤の濃度がグラデーション様に異なって見えるように形成されてもよい。
【００３８】
従来一般に、ジェルネイルの施術中には、目的のネイル材料とするために、複数種類の光硬化性ネイル剤を混ぜ合わせて色を作ったり、ラメやグリッターなどの粉状体のネイル材料を光硬化性ネイル剤に混ぜ合わせたりしなければならないものであった。
【００３９】
これに対して、本実施形態に係るネイルデザインキット１では、そのような目的のネイル材料を作成済みであり、あらかじめ容器部３に封入されているので、手間と時間を要する作業を行うことなくネイル施術に用いることができる。容器部３の光硬化性ネイル剤は、ネイル筆６を用いてそのまま爪に塗布することができ、その後、専用のＵＶライトまたはＬＥＤライト等の硬化装置を用いて特定波長光を爪に照射し、光硬化性ネイル剤を硬化させる。
【００４０】
これにより、ジェルネイルを施術する専門店であってもセルフネイルであっても、容器部３を見て、目的のネイルデザインであるネイルデザインキット１を選択するだけで、容易にそのネイルデザインのジェルネイルを施術することが可能となる。したがって、技術や経験の有無に関わらず、目的のネイルデザインに使用する色の作成に悩むこともなく、短時間で効率よくジェルネイルを施術することが可能となる。
【００４１】
（実施形態２）
本発明に係るネイルデザインキット１は、実施形態１に示す構成に加えて、さらに多様な構成により形成することができ、多様なネイルデザインに対応させたものとすることができる。以下に示す各実施形態では、実施形態１と共通する構成については共通の参照符号により示して重複する説明を省略し、当該形態に特有の構成について詳細に説明することとする。
【００４２】
図６は、実施形態２に係るネイルデザインキット１を示す底面図であり、図７は、図６に示すネイルデザインキットのＢ−Ｂ断面図である。このネイルデザインキット１は、本体部２には一つの爪形状の窪み部が形成されている。本体部２において、容器部３とパレット部４は、この一つの爪形状の窪み部内に配置されている。
【００４３】
図６に示すように、爪形状における爪先側の略半部は容器部３とされており、根元側の略半部はパレット部４とされている。図７に示すように、これらの容器部３とパレット部４とは、深さの異なる凹状に窪みとして形成されている。すなわち、容器部３は、断面略円弧状のなめらかな曲面状に形成されているのに対し、パレット部４は、容器部３より浅い窪みであり、容器部３の端部に接続されている。また、パレット部４は、爪形状の根元側ほど浅くなるように勾配を有して形成されている。本体部２には、蓋材５が備えられて、容器部３およびパレット部４が一体に覆われて密封されている。
【００４４】
このようなネイルデザインキット１において、容器部３にはネイル材料が封入されており、容器部３が透明領域（または半透明領域）とされていることで、図６に示すように、本体部２を底面側から見ると、爪先側の略半部に光硬化性ネイル剤が施されたフレンチネイルのネイルデザインを示すものとなる。また、容器部３に対して、ネイル材料を取り出すためのパレット部４が一体に備えられていることで、使い易さをさらに向上させることができる。
【００４５】
なお、図６および図７に示される容器部３とパレット部４の形状は一例であって、これに限定されるものではなく、ネイルデザインに応じてどのような形状により形成されてもよい。さらに、容器部３が複数に分割されて、異なるネイル材料が収容されていることにより、さらに多様なネイルデザインを提供することも可能である。
【００４６】
（実施形態３）
図８および図９は、実施形態３に係るネイルデザインキット１を示す上面図である。この形態に係るネイルデザインキット１は、一つの本体部２に複数の容器部３と一つのパレット部４が備えられている。
【００４７】
図８に示す例では、本体部２に爪形状の容器部３が二つ、左右に並んで配設されている。二つの容器部３は個別に蓋材５にて密閉されている。これらの二つの容器部３には、それぞれ異なるネイル材料が封入されている。
【００４８】
また、図９に示す例では、本体部２に四つの容器部３が配設されている。各容器部３は平面視で円形の外形状を有している。これらの容器部３は、上下に並べられた二つの容器部３ごとに、一つの蓋材５にて密閉されている。
【００４９】
ネイルデザインキット１は、このように一つの本体部２に複数の容器部３が備えられることで、異なるネイル材料を用いた多様なネイルデザインに対応することが可能となる。なお、蓋材５は容器部３とパレット部４とを一体に覆う構成であってもよいが、図示するように、容器部３だけを覆う構成とされてもよい。
【００５０】
（実施形態４）
図１０は、実施形態４に係るネイルデザインキット１を底面側から見て示す斜視図であり、図１１は、図１０のネイルデザインキット１の分解断面図である。
【００５１】
この形態に係るネイルデザインキット１は、本体部２に複数の容器部３（３１、３２）が備えられている。また、図１０に示すように、ネイルデザインキット１を底面側から見ると、爪形状の容器部３に、装飾パーツ７が配置されたネイルデザインが見えるように構成されている。
【００５２】
ジェルネイルでは、爪に多様な色の光硬化性ネイル剤を施術するだけでなく、ストーン、ビジュー、あるいはスタッズなどと呼ばれる装飾パーツを複数配置して、小さな貴金属宝石類を爪に装着したような立体的なネイルデザインとすることも好まれている。
【００５３】
通常、装飾パーツは、個別に販売されている多種類の細かなパーツの中から一つずつ選択し、ピンセットを用いて一つ一つ爪の上に配置し、その上に透明の光硬化性ネイル剤を塗布して光照射により硬化させ、爪に一体化させている。しかしながら、小さな装飾パーツを一つ一つ選択し、ピンセットでつまみ上げ、爪に対するバランスなどを考慮しながら爪に配置し、場合によっては一度爪に置いたパーツを取り外して再配置するなど、技術と経験と時間をも要する非常に細かな作業となる。
【００５４】
これに対して、本実施形態に係るネイルデザインキット１では、複数の小さなパーツを組み合わせて好ましい配置形態とした装飾パーツ７が、あらかじめ一体化されて用意されている。一つのまとまった部材に仕上げられた装飾パーツ７は、ネイル材料として容器部３に個別に封入されている。
【００５５】
容器部３は、複数の爪形状の窪み部が重ねられた状態で本体部２に設けられている。この場合、容器部３は、第１の容器部３１と第２の容器部３２とを備えている。容器部３は、本体部２の最も底面側に位置する第１の容器部３１が、本体部２およびパレット部４と一体に形成されている。第１の容器部３１には、ネイル材料として、一つの部材にまとめられた装飾パーツ７が収容されている。第１の容器部３１は、装飾パーツ７の立体形状に合わせて、さらに窪ませた部分を有するように形成されていてもよい。
【００５６】
第１の容器部３１には、爪形状に窪んだ第２の容器部３２が重ねられている。第２の容器部３２には、ネイル材料として、例えば光硬化性ネイル剤が収容されている。図１１に示す例では、第１の容器部３１と第２の容器部３２とが重層される構成であるが、さらに第３、第４の容器部が重層されて、異なる色の光硬化性ネイル剤や、ラメやグリッター等の粉状体のネイル材料などが封入されてもよい。重層された複数の容器部３（３１、３２）を備える本体部２は、パレット部４とともに蓋材５により密閉されている。
【００５７】
このように、複数の容器部３１、３２に異なるネイル材料が封入されていることによって、多種類のネイル材料を用いたネイルデザインを一つのネイルデザインキット１により提供することが可能となる。また、装飾パーツ７が一つのまとまった部材としてあらかじめ用意されているので、ネイル施術時には、装飾パーツ７を爪の上に配置するだけでネイルデザインが完成し、細かな作業を要することなく、短時間での施術が可能となる。
【００５８】
（実施形態５）
図１２は、実施形態５に係るネイルデザインキット１を上面側から見て示す斜視図である。この形態に係るネイルデザインキット１は、一つの本体部２に複数の容器部３が配置されている。
【００５９】
容器部３は、第５の容器部３５と第６の容器部３６とを備えている。これらのうち、縦横に並べて配置された円形の外形状を有する複数の第５の容器部３５は、実施形態３に示した容器部３と共通の構成を有する。これに対し、複数の第５の容器部３５と平行に、横方向に並べられた爪形状の第６の容器部３６は、本体部２の上面側に凸状の爪形状に形成されている。本体部２は、これらの第５の容器部３５および第６の容器部３６と、パレット部４とを一体に備えている。
【００６０】
第５の容器部３５は、それぞれネイル材料が封入されて、縦に並んだ二つを一つの蓋材５で密閉するように構成されている。パレット部４にも個別に蓋材５が備えられて密閉されている。第６の容器部３６は、爪形状の表面に、装飾パーツ７が配置されている。装飾パーツ７は、複数種類の小さなパーツが一体にまとめられて仕上げられており、第６の容器部３６に剥離可能に備えられている。第６の容器部３６ごとに異なる装飾パーツ７が配置されても、また同じ装飾パーツ７が配置されてもよい。
【００６１】
第６の容器部３６は、立体的な爪形状を有している。また、第６の容器部３６は、光硬化性ネイル剤を収容するものではないことから、透明領域または半透明領域が設けられなくともよい。第６の容器部３６は彩色され、また、第５の容器部３５に封入されたネイル材料を用いた場合のネイルデザインの地模様が付与されて、さらに装飾パーツ７が配置されている。
【００６２】
これにより、第６の容器部３６は、ネイルデザインのデザイン見本としての機能も有しており、施術対象の爪における装飾パーツ７の好ましい配置形態とともにネイルデザインの完成形を示すものとなされている。第６の容器部３６が本体部２に横並びに五つ配置されていることで、５本の指の爪に対応したものとすることができ、より一層、施術するネイルデザインをイメージしやすくすることができる。
【００６３】
施術時には、第６の容器部３６に示されたネイルデザインを見ながら、第５の容器部３５に封入されたネイル材料を爪に塗布し、硬化させる。その後、第６の容器部３６に配置されている装飾パーツ７を、そのまま取り上げて爪にのせるだけでよい。使用者は装飾パーツ７を組み立てる必要性がなく、また第６の容器部３６に示されていた通りに装飾パーツ７を爪に配置すればよく、知識や経験を要することなく、短時間で効率よく目的のネイルデザインを施術することが可能となる。
【００６４】
（実施形態６）
図１３（ａ）および図１３（ｂ）は、実施形態６に係るネイルデザインキット１を示す上面図、図１４は、図１３のネイルデザインキット１の側面図、図１５は、図１４の断面図である。
【００６５】
この形態に係るネイルデザインキット１は、本体部２１が指先を模した形状に形成されている。本体部２１は、前記実施形態と同様にプラスチック材料により、容器部３７とともに一体成形されている。容器部３７は、前記の各実施形態のものとは異なり、爪を模した立体形状を有している。図１４に示すように、容器部３７は上面側および底面側が外方へ膨らんだ曲面形状を有して内部に中空空間が形成されており、ネイル材料が収容されている。容器部３７は、上面側および底面側の全体に透明領域または半透明領域が設けられるとともに、紫外線防止手段が付与されている。
【００６６】
本体部２１には、さらに、容器部３７に隣接して、つまみ部８とパレット部４１とが一体に設けられている。例示の形態では、指先を模した形状の本体部２１において、爪元側につまみ部８、爪先側にパレット部４１が、それぞれ平板状に延設されている。つまみ部８と容器部３７との間には、薄肉状の切り離し部２０が形成されている。また、つまみ部８には光硬化性ネイル剤を塗布するためのネイル筆６１が一体に備えられ、容器部３７の内部に筆先が納められている。
【００６７】
つまみ部８は、切り離し部２０が弱いせん断応力でも破断可能であるので、ネイル筆６１を中心とする回転方向にねじることで、容器部３７から容易に離脱させることができる。ネイル施術の際には、切り離したつまみ部８を持ってネイル筆６１を使用し、容器部３７の光硬化性ネイル剤等を筆先に取り、パレット部４１を利用しながら爪に塗布することができる。
【００６８】
本体部２１は指先を模した形状であるので、爪に施したときのネイルデザインをイメージしやすく、目的のネイルデザインをより一層、容易に施術することが可能となる。
【００６９】
なお、本体部２１の外形状は指先を模した形状であるに限られず、容器部３７、つまみ部８およびパレット部４１を設けることができる形状であれば、三角形、楕円形、ハート形等、どのような形状であってもよい。本体部２１の上面、特に容器部３７の表面には装飾パーツ７が配置されていてもよい。
【００７０】
以上説明したように、本発明に係るネイルデザインキット１によれば、一回のネイル施術に必要となるネイル材料をネイルデザインごとに一つのセットとして提供することができ、目的のデザインのジェルネイルを施術することを容易にし、ネイルサロン等の専門店であってもセルフネイルであっても、短時間で効率よくネイル施術を行うことが可能となる。
【００７１】
なお、ネイルデザインキット１において本体部２に容器部３とパレット部４とが必ずしも一体に設けられたものでなくともよく、パレット部４１が本体部２から離脱した状態で備えられることで、さらにパレット部４１の使い易さを向上させることも可能である。本体部２に備えられる容器部３およびパレット部４の数も前記実施形態で示したものに限定されず、どのように構成されていてもよい。また、ネイル材料として、ジェルネイルに用いられるベースネイル剤やトップコート剤などもネイル材料として容器部３に封入されていることで、より使い勝手を向上させることが可能である。
【産業上の利用可能性】
【００７２】
本発明は、爪へのジェルネイルの施術において好適に利用可能である。
【符号の説明】
【００７３】
１      ネイルデザインキット
２、２１  本体部
３、３７  容器部
３１    第１の容器部
３２    第２の容器部
３５    第５の容器部
３６    第６の容器部
４、４１  パレット部
５      蓋材
６、６１  ネイル筆
７      装飾パーツ
【図１】
2020010957.tif 000003
【図２】
2020010957.tif 000004
【図３】
2020010957.tif 000005
【図４】
2020010957.tif 000006
【図５】
2020010957.tif 000007
【図６】
2020010957.tif 000008
【図７】
2020010957.tif 000009
【図８】
2020010957.tif 000010
【図９】
2020010957.tif 000011
【図１０】
2020010957.tif 000012
【図１１】
2020010957.tif 000013
【図１２】
2020010957.tif 000014
【図１３】
2020010957.tif 000015
【図１４】
2020010957.tif 000016
【図１５】
2020010957.tif 000017